(57)【要約】【課題】掻込み部材２２の損傷防止並びに駆動トルクの設定などを行うことができ、取扱い性の向上などを図る。【解決手段】圃場の穀稈を刈取る刈刃２１並びに刈取った穀稈を掻込む掻込み部材２２などを備える刈取部１０と、扱胴５及び選別機構７を備える脱穀部４を設け、本機側から刈取部１０に動力を伝えて駆動するコンバインにおいて、前記掻込み部材２２の入力上手側にトルクリミッタ７９を設けると共に、トルクローラ２２３を設けるトルク板２３４と、トルクローラ２２３を挾持させる内板２３５及び外板２３６と、前記各板２３５・２３６を内設させて油浴させるリミッタケース１８７とを、前記トルクリミッタ７９に備えることを特徴とする。【選択図】      図６
2004261093.tif 000002
【特許請求の範囲】
【請求項１】
圃場の穀稈を刈取る刈刃並びに刈取った穀稈を掻込む掻込み部材などを備える刈取部と、扱胴及び選別機構を備える脱穀部を設け、本機側から刈取部に動力を伝えて駆動するコンバインにおいて、前記掻込み部材の入力上手側にトルクリミッタを設けると共に、トルクロークを設けるトルク板と、トルクローラを挾持させる内板及び外板と、前記各板を内設させて油浴させるリミッタケースとを、前記トルクリミッタに備えることを特徴とするコンバイン。
【請求項２】
エンジンの動力を伝える脱穀部の各軸の入力側にトルクリミッタを設けると共に、トルクローラを設けるトルク板と、トルクローラを挾持させる内板及び外板と、前記各板を内設させて油浴させるリミッタケースとを、前記トルクリミッタに備えることを特徴とするコンバイン。
【請求項３】
脱穀部前側にフィーダハウスを設け、フィーダハウス前側に刈取ヘッダーを設け、刈取ヘッダーの刈取フレームの後側にトルクリミッタを設けることを特徴とする請求項１に記載のコンバイン。
【請求項４】
フィーダハウスまたは刈取ヘッダーのいずれか一方にトルクリミッタを設けることを特徴とする請求項３に記載のコンバイン。
【発明の詳細な説明】
【０００１】
【発明の属する技術分野】
本発明は例えば稲・麦・大豆など穀物を刈取って脱穀処理するコンバインに関する。
【０００２】
【従来の技術】
従来、圃場の穀稈を刈取る刈刃並びに刈取った穀稈を掻込む掻込み部材などを備える刈取部と、扱胴及び選別機構を備える脱穀部を設け、本機側から刈取部に動力を伝えて駆動する技術がある。（例えば、特許文献１参照）
【０００３】
【特許文献１】特開平９−９７７０号公報
【０００４】
【発明が解決しようとする課題】
前記従来技術は、爪クラッチ構造のトルクリミッタを設けて異常トルクの発生に対処する構成では、トルクリミッタの作動トルクが不安定で損傷防止またはトルク設定などを容易に行い得ない問題がある。また、回転センサを設けて回転の異常低下を検出させる構成では、不具合が発生した後で警報が出され、不具合を解消する復帰時間が長くなったり、駆動部を強固にして損傷を低減させる必要がある。
【０００５】
【課題を解決するための手段】
然るに、本発明は、請求項１の如く、圃場の穀稈を刈取る刈刃並びに刈取った穀稈を掻込む掻込み部材などを備える刈取部と、扱胴及び選別機構を備える脱穀部を設け、本機側から刈取部に動力を伝えて駆動するコンバインにおいて、前記掻込み部材の入力上手側にトルクリミッタを設けると共に、トルクローラを設けるトルク板と、トルクローラを挾持させる内板及び外板と、前記各板を内設させて油浴させるリミッタケースとを、前記トルクリミッタに備えるもので、例えば爪クラッチまたはスプロケットの歯飛び構造の従来のトルクリミッタに比べ、前記トルクリミッタの作動ピークトルク（伝動状態から非伝動状態に移行するトルク変化の範囲）を小さくして伝動と非伝動の切換を高精度で行い得、掻込み部材の損傷防止並びに駆動トルクの設定などを容易に行い得、取扱い性の向上などを容易に図り得るものである。
【０００６】
また、請求項２の如く、エンジンの動力を伝える脱穀部の各軸の入力側にトルクリミッタを設けると共に、トルクローラを設けるトルク板と、トルクローラを挾持させる内板及び外板と、前記各板を内設させて油浴させるリミッタケースとを、前記トルクリミッタに備えるもので、伝動と非伝動の切換を高精度で行い得、掻込み部材の損傷防止並びに駆動トルクの設定などを容易に行い得ると共に、従来の回転センサの異常警報に比べ、例えば穀物または藁などが詰る前に検知して除去し得、詰り除去などの時間短縮並びに駆動部の強度設定の低減などを図り得るものである。
【０００７】
また、請求項３の如く、脱穀部前側にフィーダハウスを設け、フィーダハウス前側に刈取ヘッダーを設け、刈取ヘッダーの刈取フレームの後側にトルクリミッタを設けるもので、刈取入力部にトルクリミッタを容易に組込み得、駆動構造の簡略化並びに駆動機能の向上などを容易に図り得るものである。
【０００８】
また、請求項４の如く、フィーダハウスまたは刈取ヘッダーのいずれか一方にトルクリミッタを設けるもので、フィーダハウス側にトルクリミッタを残して刈取ヘッダーを取外したり、トルクリミッタを付設した状態で刈取ヘッダーを取外し得、例えば機種によって取付け位置を変更してトルクリミッタの取付け並びに取扱いを至便にし得るものである。
【０００９】
【発明の実施の形態】
以下、本発明の実施例を図面に基づいて詳述する。図１はコンバイン全体の側面図、図２は同平面図であり、図中１は走行クローラ２を装設したトラックフレーム３に装備する機台、４は軸流式のスクリュ形扱胴５及び受網６及び選別機構７などを備えていて前記機台１に搭載する脱穀部、９は揚穀筒８を介して取出す脱穀部４の穀粒を溜める穀物タンク、１０は前記脱穀部４の下部前方に油圧シリンダ１１を介して昇降可能に装設する刈取部、１２は運転席１３及び運転操作部１４を備えて前記穀物タンク９の前方に配設させる運転キャビン、１５は前記穀物タンク９の後方に備えていてエンジン１６を内設するエンジン部、１７は前記穀物タンク９内の穀粒を取出す上部穀粒搬出オーガである。
【００１０】
そして、図３に示す如く、前記刈取部１０は、未刈り穀稈を取入れる穀物刈取ヘッダー１８と、該ヘッダー１８の後部略中央に連結させて刈取穀稈を脱穀部４に送給するフィーダハウス１９によって構成すると共に、未刈り穀稈掻込み用リール２０と、往復駆動型刈刃２１と、穀稈掻込オーガ２２とを前記穀物ヘッダー１８に備え、前記ヘッダー１８に取込まれる刈取穀稈をフィーダハウス１９に内設する供給チェンコンベア２３を介し脱穀部４に送り込んで脱穀処理するように構成している。なお、図中２４はセカンドモアである。
【００１１】
さらに、図４に示す如く、前記スクリュ形扱胴５は、脱穀部４前後長と略等しい長さの円筒形胴部２８と、この胴部２８外周に巻装して放射状に立設させ、本発明に係る後述する扱歯を取付ける螺旋形スクリュ羽根２９と、前記胴部２８の後端外周に設ける排塵突起３０とを備えるもので、前記スクリュ形扱胴５を機体前後方向に軸支し、前記フィーダハウス１９に連通する扱室３１前側の投入口３２に扱胴５前端部を臨ませて設けると共に、扱室３１後側の排塵口３３に扱胴５の後端部を臨ませるもので、前記排塵口３３を除く前記扱胴５下側に受網６を張設し、フィーダハウス１９から刈取り穀稈を全量投入して脱穀するように構成している。
【００１２】
またさらに、前記選別機構６を構成する前後の揺動選別盤３４・３５を備え、揺動アーム３６を介して前後方向に前後選別盤３４・３５を揺動駆動すると共に、前記扱胴５前部下方に位置させるフィードパン３７と、穀物漏下量を調節自在な第１チャフシーブ３８と、そのチャフシーブ３８下方に設けるグレンシーブ３９とを前選別盤３４に設ける一方、前記チャフシーブ３８後側に連設する第２チャフシーブ４１と、一番及び二番流穀板４４・４５とを後揺動選別盤３５に設けている。
【００１３】
また、第１チャフシーブ３８及びグレンシーブ３９の下方に第１及び第２風路４７・４８を介して選別風を供給する唐箕ファン４９と、グレンシーブ３９からの穀粒を受取って揚穀筒８に送出する一番樋５０及び一番コンベア５１と、二番流穀板４５からの還元物を前選別盤３４上に送出する二番樋５３及び二番コンベア５４と、前記チャフシーブ４１後端を臨ませる三番口５５とを備え、一番樋５０の穀粒をタンク８に、また二番樋５３の還元物をフィードパン３７に送出するように構成している。
【００１４】
さらに、図５に示す如く、エンジン１６の出力軸５６にプーリ５７・５８及びベルト５９を介して扱胴５を連結させ、プーリ６０・６１・６２・６３・６４及びベルト６５を介し、前記選別盤３４、唐箕ファン４９、一番コンベア５１、二番コンベア５４に出力軸５６を連結させ、脱穀部４の各部を駆動すると共に、前記各コンベア５１・５４の回転数を検出させるピックアップ形の回転センサ６６・６７を設け、各コンベア５１・５４の回転低下をブザーなどで警報させる。また、唐箕ファン４９の選別軸６６にプーリ６７・６８及びベルト６９を介して供給チェンコンベア２３のコンベア軸７０を連結させ、プーリ７１・７２及びベルト７３を介してコンベア軸７０に刈取入力軸７４を連結させると共に、前記入力軸７４に、チェン７５などを介してリール２０を連結させ、ベルト７６などを介して刈刃２１を連結させ、チェン７７などを介して掻込みオーガ２２を連結させ、チェン７８などを介してセカンドモア２４を連結させ、刈取部１０の各部を駆動する。
【００１５】
さらに、前記一番コンベア５１、二番コンベア５４、刈取入力軸７４にトルクリミッタ７９を介してプーリ６２・６１・７２を連結させ、トルクリミッタ７９の設定トルク以下で駆動させる。
【００１６】
さらに、図６乃至図９に示す如く、リミッタケース１８７にトルクリミッタ取付け孔２１９を開設させ、前記取付け孔２１９に軸受蓋２２０を外側から嵌合させて着脱自在にボルト２２１止め固定させ、着脱自在な軸受蓋２２０に刈取リミッタ軸１２５の中間をベアリング軸受２２２により回転自在に軸支させる。
【００１７】
また、前記ケース１８７の外側に突出させるリミッタ軸１２５の一端側に刈取入力用のプーリ７２をキー嵌合固定させると共に、ケース１８７の内側に挿入させるリミッタ軸１２５の他端側に、軸受段部２２４と、スプライン２２５と、ネジ２２６を形成し、平ギヤ形のリミッタ伝動ギヤ２２７を軸受段部２２４にベアリング軸受２２８を介して回転自在に軸支させる。なお、前記プーリ７２の外径を軸受蓋２２０の外形よりも大きく形成し、プーリ７２を軸１２５から取外した状態で軸受蓋２２０及びボルト２２１の着脱を行うと共に、前記ギヤ２２７の外径を取付け孔２１９よりも小さく形成し、ギヤ２２７を軸１２５に取付けた状態で、取付け孔２１９に軸１２５と軸受蓋２２０の嵌合部を出入させるもので、前記ギヤ２２７を噛合させる平ギヤ２２９を前記刈取入力軸７４に係合軸支させ、刈取入力軸７４にリミッタ伝動ギヤ２２７を連結させる。
【００１８】
さらに、前記リミッタ伝動ギヤ２２７の側面に一体形成する円筒形のアウタケース２３０と、リミッタ軸１２５上で対向させるドーナツ板形の受板２３１及び押板２３２と、同一円周上に複数のトルクローラ２３３を略等間隔に配列させるドーナツ板形のトルク板２３４と、リミッタ軸１２５の軸芯方向の対向する両側方からトルク板２３４のトルクローラ２３３を挾持させるドーナツ平板形の内板２３５及び外板２３６と、前記ネジ２２６に螺着させて押板２３２に圧接させる着脱自在なナット２２３及び座金１８１とを、前記トルクリミッタ１２６に備え、カウンタケース２５内部にトルクリミッタ７９本体側のアウタケース２３０などを配設させて油浴させる。
【００１９】
そして、軸受蓋２２０にリミッタ軸１２５を軸支させ、該軸１２５の軸受段部２２４にリミッタ伝動ギヤ２２７を抜出し自在に軸支させ、アウタケース２３０の内孔２４０に受板２３１を内挿させ、複数組の内板２３５とトルク板２３４と外板２３６をアウタケース２３０に内挿させ、リミッタ軸１２５のスプライン２２５に内板２３５の内孔を係合軸支させ、略１２０度間隔に設けるアウタケース２３０のキー溝２４１に外板２３６外周の突起形キー２４２を係合させる。また、トルクバネ２３９を支持させた座板２３８をリミッタ軸１２５の機外側端部に回転自在に軸支させ、前記軸１２５のネジ１８２にトルクナット２３７を螺着させ、トルクリミッタ１２６を軸受蓋２２０及びリミッタ軸１２５とユニット構造に組立てるもので、トルクナット２３７を締付けてトルクバネ２３９力を調節し、トルクローラ２３３の伝達トルクを設定する。また、前記刈取入力用プーリ７２とこのプーリボス１８３とを各別に形成し、プーリ９５とボス１８３を着脱自在にボルト１８４止め固定させ、プーリボス１８３をリミッタ軸１２５にキー嵌合させ、プーリボス１８３の機外側面にトルクバネ２３９を圧接させ、リミッタケース１８７の外側にトルクナット２３７及びバネ２３９を設ける。
【００２０】
また、刈取伝動軸１２５の軸芯部にＬ形の油穴２４３を形成し、油穴２４３の一端側をリミッタケース１８７の内部に軸１２５端面で開口させ、油穴２４３の他端側をリミッタ軸１２５のスプライン２２５形成部の周面に開口させると共に、スプライン２２５に嵌合させる内板２３５の内孔に油通し用の切欠２４４を形成し、多層形の各トルク板２３４のトルクローラ２３３に、油穴２４３及び切欠２４４を介し、刈取伝動軸１２５の回転によって発生する遠心力により油穴２４３からトルクローラ２３３方向にケース２５の油を移動させ、遠心力によって強制的にトルクローラ２３３に油を送って強制潤滑する。
【００２１】
さらに、前記トルクローラ２３３の円柱形に対して平面視で相似する長方形の支持孔２４５をトルク板２３４に形成し、トルクローラ２３３を支持孔２４５に回転自在に内挿させると共に、支持孔２４５の対向する長辺側の開口縁に一対の舌片２４６を対向させて設け、トルクローラ２３３の外周に舌片２４６を摺接させる。また、トルク板２３４の外周に形成する折曲げ縁２４７と同一方向に舌片２４６を突設させ、トルク板２３４の軸芯方向の幅をトルクローラ２３３の外径よりも小さく形成し、トルク板２３４の両側面にトルクローラ２３３の外周側を突出させて内板２３５と外板２３６に摺接させると共に、ホルダを形成する一対の舌片２４６の先端側をトルクローラ２３３の円周方向に折曲げ、トルクローラ２３３の外周を一対の舌片２４６によって回転自在に挾持させる。
【００２２】
さらに、前記トルク板２３４の回転中心２４７を通過する放射線２４８に対してトルクローラ２３３の軸芯線２４９をトルク板２３４の回転下手側に一定の傾斜角度θで傾斜させるもので、転動軸芯線２４９がトルク板２３４の回転中心を含む平面（放射線２４８）に対して角度θだけ傾斜するようにトルクローラ２３３を配置させる構成において、アウタケース２３０を回転駆動させると、各トルクローラ２３３が内板２３５と外板２３６に接しながら転動してトルク板２３４も回転する。このとき、各トルクローラ２３３は、外板２３６の回転軌道に対して前記角度θだけ傾斜した方向に転動しようとするのを、トルク板２３４で規制されながら外板２３６の回転軌道の方向に移動するため、前記トルクバネ２３９圧に比例した摩擦抵抗が発生し、しかも、各トルクローラ２３３は転動しながら滑り摩擦を発生させるので、静摩擦は発生せず、常に動摩擦による安定した摩擦抵抗力が得られる。また、掻込みオーガ２２の駆動負荷が増加したとき、内板２３５と外板２３６の各回転トルク差が増大してトルクローラ２３３の摩擦抵抗力よりも大きくなることにより、内板２３５と外板２３６がトルクローラ２３３に対して摺動して伝達動力が遮断される。
【００２３】
また、前記刈取入力用プーリ７２と同様に、一番及び二番コンベア５１・５４の入力用のプーリ６２・６１をリミッタ軸１２５に軸支させると共に、一番及び二番コンベア５１・５４の各軸に前記の平ギヤ２２９を軸支させてリミッタ伝動ギヤ２２７に連結させ、トルクバネ２３９によって設定されるトルク以下で一番及び二番コンベア５１・５４を駆動し、過負荷によってコンベア５１・５４の回転が低下したとき、センサ６６・６７が検出して警報する。
【００２４】
上記から明らかなように、圃場の穀稈を刈取る刈刃２１並びに刈取った穀稈を掻込む掻込み部材である掻込オーガ２２などを備える刈取部１０と、扱胴５及び選別機構７を備える脱穀部４を設け、本機側から刈取部１０に動力を伝えて駆動するコンバインにおいて、前記掻込みオーガ２２の入力上手側にトルクリミッタ７９を設けると共に、トルクローラ２２３を設けるトルク板２３４と、トルクローラ２２３を挾持させる内板２３５及び外板２３６と、前記各板２３５・２３６を内設させて油浴させるリミッタケース１８７とを、前記トルクリミッタ７９に備える。そして、例えば爪クラッチまたはスプロケットの歯飛び構造の従来のトルクリミッタに比べ、前記トルクリミッタ７９の作動ピークトルク（伝動状態から非伝動状態に移行するトルク変化の範囲）を小さくして伝動と非伝動の切換を高精度で行い、掻込みオーガ２２の損傷防止並びに駆動トルクの設定などを行い、取扱い性の向上などを図る。
【００２５】
また、エンジン１６の動力を伝える脱穀部４の各軸の入力側にトルクリミッタ７９を設けると共に、トルクローラ２２３を設けるトルク板２３４と、トルクローラ２２３を挾持させる内板２３５及び外板２３６と、前記各板２３５・２３６を内設させて油浴させるリミッタケース１８７とを、前記トルクリミッタ７９に備えるもので、伝動と非伝動の切換を高精度で行い、選別機構７などの損傷防止並びに駆動トルクの設定などを行うと共に、従来の回転センサの異常警報に比べ、例えば穀物または藁などが詰る前に検知して除去し、詰り除去などの時間短縮並びに駆動部の強度設定の低減などを図る。
【００２６】
また、トルクリミッタ７９の本体側を油浴させることによって耐久性を向上させると共に、プーリボス１８３の外側にトルクナット２３７及びトルクバネ２３９を設け、トルクリミッタ７９のトルクセットを機外から行い、メンテナンスなど取扱い性の向上を図ると共に、刈取入力用プーリ７２とプーリボス１８３を別体で形成し、プーリ７２とプーリボス１８３をボルト１８４止め固定させ、プーリボス１８３を取付けた状態でプーリ７２を取外し、トルクリミッタ７９のセットトルクを一定に保った状態でプーリ７２を取外してベルト交換作業などを行い、取扱い性の向上などを図る。
【００２７】
また、リミッタ軸１２５にベアリング軸受２２８を介して伝動ギヤ２２７を回転自在に軸支させ、前記伝動ギヤ２２７の一側にアウタケース２３０を一体形成するもので、トルクリミッタ７９の構成部品数の削減並びにコンパクト化を行い、かつリミッタ軸１２５に対してトルクリミッタ７９の本体側をユニット構成して組立性及びメンテナンス性などを向上させる。また、リミッタ軸１２５の中間を軸受蓋２２０に軸受２２２を介して軸支させ、軸受蓋２２０の内部に突設させるリミッタ軸１２５の一端側にトルクリミッタ７９の本体側を設け、軸受蓋２２０の外部に突設させるリミッタ軸１２５の他端側にプーリ７２とトルクナット２３７などのトルクセット部材とを設けるもので、例えば分離自在な軸受蓋２２０にリミッタ軸１２５を軸支させることにより、分離する側の軸受蓋２２０と一体的にトルクリミッタ７９を着脱させる一方、トルクリミッタ７９及びプーリボス１８３を設けた状態でプーリ７２だけを取外すことが可能で、組立性及びメンテナンス性などを向上させる。
【００２８】
さらに、図１０は、刈取った穀稈の株元をフィードチェン３００によって挾持搬送し乍ら、脱穀部３０１の扱胴３０２によって脱粒させ、選別機構３０３によって穀粒とその他のものとに選別し、穀粒を収集すると共に、フィードチェン３００から排藁チェン３０４に排藁を受継ぎ、後側の結束機３０５に排藁をチェン３０４から送給し、結束機３０５によって排藁を束にして放出させるもので、結束機３０５の入力プーリ３０６を入力軸３０７に設けると共に、入力軸３０７に、図６乃至図９に示すトルクリミッタ７９を設け、藁詰り過負荷のとき、結束機３０５を設定トルク以下で駆動して損傷を防ぐものである。
【００２９】
さらに、図３、図５、図１１に示す如く、脱穀部４前側にフィーダハウス１９を設け、フィーダハウス１９前側に刈取ヘッダー１８を設け、刈取ヘッダー１９の刈取フレーム３１０の後側にトルクリミッタ７９を設け、トルクリミッタ７９の出力側または入力側に自在継手３１１を着脱自在に連結させ、刈取入力部にトルクリミッタ７９を容易に組込み、駆動構造の簡略化並びに駆動機能の向上などを図ると共に、フィーダハウス１９の側面または刈取ヘッダー１８の後面のいずれか一方にトルクリミッタ７９を設け、フィーダハウス１９側にトルクリミッタ７９を残して刈取ヘッダー１８を取外したり、トルクリミッタ７９を付設した状態で刈取ヘッダー１８を取外し、例えば機種によって取付け位置を変更してトルクリミッタ７９の取付け並びに取扱いを至便にしている。
【００３０】
【発明の効果】
以上実施例から明らかなように本発明は、請求項１の如く、圃場の穀稈を刈取る刈刃２１並びに刈取った穀稈を掻込む掻込み部材２２などを備える刈取部１０と、扱胴５及び選別機構７を備える脱穀部４を設け、本機側から刈取部１０に動力を伝えて駆動するコンバインにおいて、前記掻込み部材２２の入力上手側にトルクリミッタ７９を設けると共に、トルクローラ２２３を設けるトルク板２３４と、トルクローラ２２３を挾持させる内板２３５及び外板２３６と、前記各板２３５・２３６を内設させて油浴させるリミッタケース１８７とを、前記トルクリミッタ７９に備えるもので、例えば爪クラッチまたはスプロケットの歯飛び構造の従来のトルクリミッタに比べ、前記トルクリミッタ７９の作動ピークトルク（伝動状態から非伝動状態に移行するトルク変化の範囲）を小さくして伝動と非伝動の切換を高精度で行うことができ、掻込み部材２２の損傷防止並びに駆動トルクの設定などを容易に行うことができ、取扱い性の向上などを容易に図ることができるものである。
【００３１】
また、請求項２の如く、エンジン１６の動力を伝える脱穀部４の各軸の入力側にトルクリミッタ７９を設けると共に、トルクローラ２２３を設けるトルク板２３４と、トルクローラ２２３を挾持させる内板２３５及び外板２３６と、前記各板２３５・２３６を内設させて油浴させるリミッタケース１８７とを、前記トルクリミッタ７９に備えるもので、伝動と非伝動の切換を高精度で行うことができ、選別機構７などの損傷防止並びに駆動トルクの設定などを容易に行うことができると共に、従来の回転センサの異常警報に比べ、例えば穀物または藁などが詰る前に検知して除去でき、詰り除去などの時間短縮並びに駆動部の強度設定の低減などを図ることができるものである。
【００３２】
また、請求項３の如く、脱穀部４前側にフィーダハウス１９を設け、フィーダハウス１９前側に刈取ヘッダー１８を設け、刈取ヘッダー１９の刈取フレーム３１０の後側にトルクリミッタ７９を設けるもので、刈取入力部にトルクリミッタ７９を容易に組込むことができ、駆動構造の簡略化並びに駆動機能の向上などを容易に図ることができるものである。
【００３３】
また、請求項４の如く、フィーダハウス１９または刈取ヘッダー１８のいずれか一方にトルクリミッタ７９を設けるもので、フィーダハウス１９側にトルクリミッタ７９を残して刈取ヘッダー１８を取外したり、トルクリミッタ７９を付設した状態で刈取ヘッダー１８を取外すことができ、例えば機種によって取付け位置を変更してトルクリミッタ７９の取付け並びに取扱いを至便にできるものである。
【図面の簡単な説明】
【図１】コンバインの側面図。
【図２】同平面図。
【図３】刈取部の側面図。
【図４】脱穀部の断面図。
【図５】駆動系統図。
【図６】トルクリミッタの断面図。
【図７】同分解説明図。
【図８】同展開説明図。
【図９】図７の拡大説明図。
【図１０】変形例を示す脱穀部の断面図。
【図１１】図５の変形例を示す駆動系統図。
【符号の説明】
４        脱穀部
５        扱胴
７        選別機構
１０      刈取部
１６      エンジン
１８      刈取ヘッダー
１９      フィーダハウス
２１      刈刃
２２      掻込みオーガ（掻込み部材）
７９      トルクリミッタ
１８７    リミッタケース
２２３    トルクローラ
２３４    トルク板
２３５    内板
２３６    外板
３１０    刈取フレーム
【図１】
2004261093.tif 000003
【図２】
2004261093.tif 000004
【図３】
2004261093.tif 000005
【図４】
2004261093.tif 000006
【図５】
2004261093.tif 000007
【図６】
2004261093.tif 000008
【図７】
2004261093.tif 000009
【図８】
2004261093.tif 000010
【図９】
2004261093.tif 000011
【図１０】
2004261093.tif 000012
【図１１】
2004261093.tif 000013